(57)【特許請求の範囲】
【請求項１】
使用者の手首に装着されるリスト装置の装置本体に、帯状のバンド本体内に線状部材が配設されているバンドを取付けるようにしたバンドの取付構造において、
前記線状部材は、前記バンド本体の周縁部に沿うようにして配設されており、
前記線状部材の端部は、前記バンド本体の一端から突出した一対の突出部となっており、
前記装置本体には、前記装置本体から両端部が突出するようにして該装置本体に挿通された棒部材の両端部からなる一対の取付部を有し、
この一対の取付部に対し、前記一対の突出部が取付けられるようにしたことを特徴とするバンドの取付構造。
【請求項２】
前記一対の突出部には、棒部材の端部に被せられる被覆部材がそれぞれ設けられており、
この被覆部材を、それぞれ棒部材の端部に被せた状態で、該被覆部材が前記棒部材に対し固定されることにより、前記装置本体に対して前記バンド本体の取付けがなされるようにしていることを特徴とする請求項１記載のバンドの取付構造。
【請求項３】
前記装置本体の内部には、緩衝体が設けられ、この緩衝体により、前記棒部材から前記装置本体の内部のうち、該緩衝体以外の部分へと衝撃が伝達することが防止されていることを特徴とする請求項１又は２記載のバンドの取付構造。
【請求項４】
前記一対の突出部の先端部は、前記装置本体により覆われていることを特徴とする請求項１〜３のいずれか１項記載のバンドの取付構造。
【請求項５】
装置本体に、帯状のバンド本体内に線状部材が配設されているバンドを取付けるようにしたバンドの取付構造を備えている、使用者の手首に装着されるリスト装置において、
前記線状部材は、前記バンド本体の周縁部に沿うようにして配設されており、
前記線状部材の端部は、前記バンド本体の一端から突出した一対の突出部となっており、
前記装置本体には、前記装置本体から両端部が突出するようにして該装置本体に挿通された棒部材の両端部からなる一対の取付部を有し、
この一対の取付部に対し、前記一対の突出部が取付けられるようにしたことを特徴とするリスト装置。
【発明の詳細な説明】
【０００１】
【発明の属する技術分野】
本発明は、時計、腕時計、コンパス、水深計などの使用者の手首に装着されるリスト装置に適用して有用なバンドの取付構造およびリスト装置に関するものである。
【０００２】
【従来の技術】
時計、腕時計、コンパス、水深計などの使用者の手首に装着されるリスト装置に適用されるバンドとしては、例えば、不織布に合皮を貼設してなるなどの柔軟な材質のものなどがある。
また、従来の、例えば時計のバンドの取付構造は、バンドが取付けられる時計本体の取付部と、この取付部に対して取付けられるバンドの被取付部を、バネ棒、ピン、ネジなどの止着部材により連結するといったものが一般的である。
このような構造では、時計本体の取付部と、バンドの被取付部にはそれぞれ穴が形成されており、これらの穴を位置合わせした状態で、即ち、時計本体とバンドとを一部重なり合わせた状態でこれらの穴に止着部材が差し込まれている。
【０００３】
【発明が解決しようとする課題】
しかしながら、従来の柔軟な素材のバンドでは、強度に限界がある。
また、従来のバンドの取付構造では、上記のように、バンド側に穴を形成し、この穴に止着部材を挿入する構造であるため、バンドと時計本体が部分的に重なり合うデザインしか実現できなかった。
【０００４】
そこで、本発明の課題は、バンドとリスト装置本体が重なり合う部分のないデザインを実現できるバンドの取付構造およびリスト装置を提供することにある。
【０００５】
【課題を解決するための手段】
以上の課題を解決すべく、この発明は、次のような構成を備えている。
【００１４】
請求項１記載の発明は、
使用者の手首に装着されるリスト装置１の装置本体２に、帯状のバンド本体３ａ，４ａ内に線状部材１０，１１が配設されているバンド４０を取付けるようにしたバンドの取付構造において、
前記線状部材は、前記バンド本体の周縁部に沿うようにして配設されており、前記線状部材の端部は、前記バンド本体の一端から突出した一対の突出部１０ａ，１０ａ，１１ａ，１１ａとなっており、前記装置本体には、前記装置本体から両端部が突出するようにして該装置本体に挿通された棒部材の両端部からなる一対の取付部１５ｃ，１５ｃ，１５ｃ，１５ｃを有し、
この一対の取付部に対し、前記一対の突出部が取付けられるようにしたことを特徴とする。
【００１５】
請求項１記載の発明によれば、装置本体は、一対の突出部が取付けられる一対の取付部を有し、この一対の取付部に対し、一対の突出部が取付けられるようにしたので、バンド本体と、装置本体とが重なり合う部分のないデザインを実現できる。
【００１９】
請求項２記載の発明は、請求項１記載のバンドの取付構造において、
前記一対の突出部１０ａ，１０ａ，１１ａ，１１ａには、棒部材１５，１５の端部に被せられる被覆部材１３，１３，１３，１３がそれぞれ設けられており、この被覆部材を、それぞれ棒部材の端部に被せた状態で、該被覆部材が前記棒部材に対し固定されることにより、装置本体２に対して前記バンド本体３ａ，４ａの取付けがなされるようにしていることを特徴としている。
【００２０】
請求項２記載の発明によれば、一対の突出部には、棒部材の端部に被せられる被覆部材がそれぞれ設けられており、この被覆部材を、それぞれ棒部材の端部に被せた状態で、該被覆部材が棒部材に対し固定されることにより、装置本体に対してバンド本体の取付けがなされるようにしているので、容易に、バンド本体を装置本体の取付部に取り付けた構造とすることができるとともに、被覆部材により棒部材を被覆したデザインとすることができる。
【００２１】
被覆部材は、例えば、棒部材の端部を被覆可能な筒形形状を有するとともに、突出部を、被覆部材の軸心方向に交差する方向に挿通可能な挿通孔を有しており、この挿通孔に突出部を挿通するとともに、被覆部材を棒部材の端部に被せた状態で、該被覆部材を棒部材に対し固定することにより、一対の突出部を取付部に対し取り付けることができるようなものである。
【００２２】
請求項３記載の発明は、請求項１又は２記載のバンドの取付構造において、前記装置本体の内部には、緩衝体５０が設けられ、この緩衝体により、前記棒部材１５，１５から装置本体２の内部のうち、該緩衝体以外の部分へと衝撃が伝達することが防止されていることを特徴としている。
【００２３】
請求項３記載の発明によれば、装置本体の内部には、緩衝体が設けられ、この緩衝体により、棒部材から装置本体の内部のうち、該緩衝体以外の部分へと衝撃が伝達することが防止されているので、この緩衝体により、棒部材から装置本体の内部のうち、緩衝体以外の部分へと衝撃が伝達することを防止でき、装置本体の耐衝撃性が得られる。
【００２４】
請求項４記載の発明は、請求項１〜３のいずれか１項記載のバンドの取付構造において、
前記一対の突出部１０ａ，１０ａ，１１ａ，１１ａの先端部は、装置本体２により覆われていることを特徴としている。
【００２５】
請求項４記載の発明によれば、一対の突出部の先端部は、装置本体により覆われているので、線状部材の端部がリスト装置からはみ出した状態になることを防止でき、見栄えがよい。
【００２６】
具体的な構造としては、例えば、装置本体は、一対の突出部の先端部が挿入される一対の挿入孔を有しており、これら一対の挿入孔に対し、一対の突出部の先端部がそれぞれ挿入されている構造があげられる。
【００２７】
請求項５記載の発明は、
装置本体２に、帯状のバンド本体３ａ，４ａ内に線状部材１０，１１が配設されているバンド４０を取付けるようにしたバンドの取付構造を備えている、使用者の手首に装着されるリスト装置１において、
前記線状部材は、前記バンド本体の周縁部に沿うようにして配設されており、前記線状部材の端部は、前記バンド本体の一端から突出した一対の突出部１０ａ，１０ａ，１１ａ，１１ａとなっており、前記装置本体には、前記装置本体から両端部が突出するようにして該装置本体に挿通された棒部材の両端部からなる一対の取付部１５ｃ，１５ｃ，１５ｃ，１５ｃを有し、
この一対の取付部に対し、前記一対の突出部が取付けられるようにしたことを特徴とする。
【００２８】
請求項５記載の発明によれば、装置本体は、一対の突出部が取付けられる一対の取付部を有し、この一対の取付部に対し、一対の突出部が取付けられるようにしたので、バンド本体と、装置本体とが重なり合う部分のないデザインを実現できる。
【００３７】
【発明の実施の形態】
＜第１の実施の形態例＞
以下、図面を参照して、本発明に係る第１の実施の形態例について説明する。
図１に示すように、本発明に係るリスト装置の一例としての腕時計１は、時計本体（装置本体）２と、この時計本体２に取付けられたバンド４０により概略構成されている。
【００３８】
先ず、時計本体２の概略構成について以下に説明する。
時計本体２の時計ケース３０は、環状のセンターケース（本体ケース）３１、このセンターケース３１に対し、該センターケース３１の外周を覆うようにして設けられた環状のベゼル３２、センターケース３１の表側に固定された時計ガラス３３、センターケース３１の裏側に固定された裏蓋３４等により概略構成されている（図１及び図２参照）。
また、時計本体２の周囲には、各種操作を行うための押しボタン３５，…が設けられている。さらに、センターケース３１の内部には、内部機器類１００が収容されている。内部機器類１００としては、図示しない液晶表示装置、この液晶表示装置に時刻表示させる図示しない制御部、内部機器類の駆動源となる図示しない電池を収容した図示しない電池部などが含まれる。液晶表示装置に表示された情報は、時計ケース３０の時計ガラス３３を通して視認されるようになっている。ここで、液晶表示装置、制御部などの時刻表示に必要な構成要素により時計部が構成されているとする。
【００３９】
次ぎに、本発明に係るバンド４０の構成について説明する。
図１、図４、図５に示すように、バンド４０は、第１および第２のバンド３，４により概略構成されている。
第１のバンド３の第１のバンド本体３ａには、その長手方向に沿って、複数の孔部５，…が形成されている。他方、第２のバンド４の第２のバンド本体４ａにはループ６が外挿され、該バンド本体４ａの端部には、尾錠８および突く棒７が設けられている。
これらバンド３，４は、バンド本体３ａを尾錠８に挿入した状態で、突く棒７を孔部５，…の何れかに挿入することにより、互いに連結されるものであり、これにより腕時計１を使用者の手首に装着することができるようになっている。
【００４０】
さらに、図４に示すように、バンド本体３ａ，４ａには、鋼線を撚り合わせることにより構成されたワイヤ１０，１１が、該バンド本体３ａ，４ａの周縁部に沿うように、細長いＵ字形状をなすようにして埋設されている。
即ち、図６に模式的な断面を示すように、これらバンド本体３ａ，４ａは、不織布などからなる芯材４１、芯材４１の表裏面に貼設された合皮４２，４３、合皮４２の表側に貼設されたナイロンメッシュ４４、このナイロンメッシュ４４から裏側の合皮４３に亘って、バンド本体３ａ，４ａの両側に設けられた合皮４５，４５、および合皮４５，４５により包み込まれるようにして合皮４５，４５の内側に設けられたワイヤ１０，１１などにより構成されている。
ここで、図１、図４、図５に示される１８は、合皮４５，４５をナイロンメッシュ４４、合皮４２、芯材４１、合皮４３に対して縫いつけた縫い目であり、ワイヤ１０，１１は、ほぼこの縫い目１８に沿って配設されている。
また、合皮４４は例えば、メタリック調の素材であり、透明なナイロンメッシュ４４を介して、メタリック調の模様が視認可能となっている。これにより、バンド３，４をメタリック調の高級感のあるものとすることができるとともに、合皮４５，４５と色合いが異なるため、２色成形風のデザインとすることができる。
なお、図６はバンド本体３ａ，４ａの構造を模式的に示したものであり、寸法などは実際と異なるものである。
【００４１】
また、バンド本体３ａ，４ａからは、ワイヤ１０，１１の端部が突出しており、これら突出した部分が突出部１０ａ，１０ａ、１１ａ，１１ａであり、後述するように、これら突出部１０ａ，１０ａ、１１ａ，１１ａを介して、バンド本体３ａ，４ａが装置本体に対して取付けられるようになっている。
即ち、図４，図５では図示を省略しているが、図１０等に示すように、これら突出部１０ａ，１０ａ，１１ａ，１１ａには被覆部材１３，１３，１３，１３が設けられている。
これら被覆部材１３，１３，１３，１３は、後述する棒部材１５，１５の端部を被覆可能な筒形形状を有するとともに、突出部１０ａ，１０ａ，１１ａ，１１ａを、被覆部材１３，１３，１３，１３の軸心方向に交差する方向に挿通可能な挿通孔１３ａ，１３ａ，１３ａ，１３ａを有している。
そして、この挿通孔１３ａ，１３ａ，１３ａ，１３ａに突出部１０ａ，１０ａ，１１ａ，１１ａを挿通するとともに、被覆部材１３，１３，１３，１３を棒部材１５，１５の端部に被せた状態で、該被覆部材１３，１３，１３，１３を棒部材１５，１５に対し固定することにより、突出部１０ａ，１０ａ，１１ａ，１１ａを棒部材１５，１５の端部に対し取り付けることができるようになっている。
ここで、突出部１０ａ，１０ａ，１１ａ，１１ａには、これら突出部１０ａ，１０ａ，１１ａ，１１ａよりも大径のストッパ部材１４，１４，１４，１４が設けられており、これらストッパ部材１４，１４，１４，１４により、突出部１０ａ，１０ａ，１１ａ，１１ａから被覆部材１３，１３，１３，１３が抜けてしまうことが防止されている。
【００４２】
他方、時計本体２の対向する端部には、棒部材１５，１５が、それぞれその長手方向がバンド本体３ａ，４ａの幅方向となり、かつ、該棒部材１５，１５の両端部１５ｃ，１５ｃ，１５ｃ，１５ｃ（図８、図１０等参照）がそれぞれ装置本体２から突出するようにして挿通されている。即ち、図１２に示すように、時計本体２の対向する端部には、棒部材１５，１５を挿通するための挿通孔２０，２０が設けられ、この挿通孔２０，２０に対し、棒部材１５，１５が挿通されている。
ここで、時計本体２の対向する端部の内部には、緩衝体５０，５０がそれぞれ設けられている。この緩衝体５０，５０は、例えば、硬質ウレタン樹脂からなるものであるが、ナイロンなどの樹脂であっても良い。具体的な例としては、例えば、レザミンＰ２５２４（大日精化製）などが好適に用いられる。
また、この緩衝体５０，５０に形成された挿通孔２０ａ，２０ａが、時計本体２の挿通孔２０，２０の一部を構成している。この緩衝体２０，２０は、棒部材１５，１５から装置本体２の内部のうち、該緩衝体２０，２０以外の部分へと衝撃が伝達することを防止するためのものである。
【００４３】
このように、装置本体２から突出した棒部材１５，１５の両端部１５ｃ，１５ｃ，１５ｃ，１５ｃが、取付部を構成している。そして、これら両端部１５ｃ，１５ｃ，１５ｃ，１５ｃに対して、ワイヤ１０，１１の突出部１０ａ，１０ａ，１１ａ，１１ａに設けられた被覆部材１３，１３，１３，１３を被せた状態で、被覆部材１３，１３，１３，１３が両端部１５ｃ，１５ｃ，１５ｃ，１５ｃに対し固定されることで、突出部１０ａ，１０ａ，１１ａ，１１ａを介してバンド３，４が装置本体２に対し取付けられている。
さらに、挿通孔２０，２０の両端部は、大径部２０ｂ，２０ｂ，２０ｂ，２０ｂとなっており（図８、図２等参照）、この大径部２０ｂ，２０ｂ，２０ｂ，２０ｂに対し被覆部材１３，１３，１３，１３の端部が挿入されている。これにより、棒部材１５，１５の両端部１５ｃ，１５ｃ，１５ｃ，１５ｃが被覆部材１３，１３，１３，１３によって完全に被覆され、棒部材１５，１５が視認されないデザインとなっている。
【００４４】
また、装置本体２のベゼル３２は、突出部１０ａ，１０ａ，１１ａ，１１ａの先端部が挿入される挿入孔２１ａ，２１ａ，２１ａ，２１ａを有している。即ち、ベゼル３２には、バンド３，４側に向けて突出する突出部２１，２１，２１，２１が形成されており、これら突出部２１，２１，２１，２１には、バンド３，４側に向けて開口する挿入孔２１ａ，２１ａ，２１ａ，２１ａが形成されている。これら挿入孔２１ａ，２１ａ，２１ａ，２１ａに対して、突出部１０ａ，１０ａ，１１ａ，１１ａの先端部が挿入されることで、ワイヤ１０，１１の端部が腕時計１からはみ出した状態になることのない、見栄えの良いデザインとなっている。
【００４５】
ここで、装置本体２に対するバンド４の取付方について説明する（バンド３も同様であるので省略）。
先ず、図８に示すように、一方の突出部１１ａの先端部を装置本体２の一方の挿入孔２１ａに挿入するとともに、この突出部１１ａに設けられた一方の被覆部材１３を挿通孔２０の一方の大径部２０ｂに挿入する。さらに、棒部材１５を、他方側の大径部２０ｂから挿入し、棒部材１５の一端が一方の被覆部材１３の内側に嵌入され、かつ、棒部材１５の他端が装置本体２から突出した状態にする。ここで、棒部材１５および緩衝体５０には、棒部材１５を緩衝体５０に対して固定するための固定穴１５ｂ、５０ａが形成されており、ネジ１６を、固定穴５０ａを介して固定穴１５ｂに対し螺入することで、棒部材１５が緩衝体５０に対し固定され、棒部材１５と緩衝体５０とが一体の剛体にされる。従って、棒部材１５は、緩衝体５０に対し、該棒部材１５の軸心周りに回動不能である。
【００４６】
次ぎに、図９に示すように、他方の突出部１１ａの先端部を他方の挿入孔２１ａに挿入するとともに、この突出部１１ａに設けられた他方の被覆部材１３を他方の大径部２０ｂに挿入する。この際、ワイヤ１１はある程度の柔軟性を有しているので、この柔軟性を利用してワイヤ１１を適宜撓ませることとする。
またここで、棒部材１５には、ネジ１７，１７により該棒部材１５に対して被覆部材１３，１３を固定するための固定穴１５ａ，１５ａが、また、被覆部材１３，１３には、このネジ１７，１７を挿通するための図示しない挿通穴が形成されており、図１１に示すように、挿通穴を介してネジ１７，１７を固定穴１５ａ，１５ａに対し螺入することで、被覆部材１３，１３が棒部材１５に対し固定される。
このようにして、突出部１１ａ，１１ａ、被覆部材１３，１３を介して、棒部材１５に対してバンド４が取付けられる。
【００４７】
以上のような構成の第一の実施の形態例によれば、バンド本体３ａ，４ａの内部にワイヤ１０，１１が埋設されているので、ワイヤ１０，１１によりバンド本体３ａ，４ａを補強できる。よって、バンド本体３ａ，４ａの高い強度が得られる。しかも、柔軟性のあるワイヤ１０，１１の特性により、バンド本体３ａ，４ａの柔軟性が確保できる。
また、ワイヤ１０，１１が、バンド本体３ａ，４ａの周縁部に沿うようにして配設されているので、特にバンド３，４の周縁部をワイヤ１０，１１により補強できる。
【００４８】
さらに、ワイヤ１０，１１の端部は、バンド本体３ａ，４ａの一端から突出した一対の突出部１０ａ，１０ａ，１１ａ，１１ａとなっており、これら一対の突出部１０ａ，１０ａ，１１ａ，１１ａが時計本体２に固定された棒部材１５，１５の両端部１５ｃ，１５ｃ，１５ｃ，１５ｃ，１５ｃ、即ち時計本体２の取付部に取付けられることで、バンド３，４が時計本体２に対して取付けられているので、バンド本体３ａ，４ａと、時計本体２とが重なり合う部分のないデザインを実現できる。
【００４９】
加えて、一対の取付部は、時計本体２から両端部１５ｃ，１５ｃ，１５ｃ，１５ｃが突出するようにして該時計本体２に挿通された、棒部材１５，１５の両端部１５ｃ，１５ｃ，１５ｃ，１５ｃであるので、棒部材１５，１５を、該棒部材１５，１５の両端部１５ｃ，１５ｃ，１５ｃ，１５ｃがそれぞれ時計本体２から突出するようにして該時計本体２に挿通することにより、容易に一対の取付部１５ｃ，１５ｃ，１５ｃ，１５ｃを設けることができる。
【００５０】
さらに、一対の突出部１０ａ，１０ａ，１１ａ，１１ａには、棒部材１５，１５の端部１５ｃ，１５ｃ，１５ｃ，１５ｃに被せられる被覆部材１３，１３，１３，１３がそれぞれ設けられており、この被覆部材１３，１３，１３，１３を、それぞれ棒部材１５，１５の端部１５ｃ，１５ｃ，１５ｃ，１５ｃに被せた状態で、該被覆部材１３，１３，１３，１３が棒部材１５，１５に対し固定されることにより、容易に、時計本体２に対するバンド３，４の取付けを行うことができる。
【００５１】
また、時計本体２の内部には、緩衝体５０，５０が設けられ、この緩衝体５０，５０により、棒部材１５，１５から時計本体２の内部のうち、該緩衝体５０，５０以外の部分へと衝撃が伝達することが防止されているので、時計本体２の耐衝撃性が得られる。
【００５２】
さらに、時計本体２は、一対の突出部１０ａ，１０ａ，１１ａ，１１ａの先端部が挿入される一対の挿入孔２１ａ，２１ａ，２１ａ，２１ａを有しており、これら一対の挿入孔２１ａ，２１ａ，２１ａ，２１ａに対し、一対の突出部１０ａ，１０ａ，１１ａ，１１ａの先端部がそれぞれ挿入されており、これにより、一対の突出部１０ａ，１０ａ，１１ａ，１１ａの先端部が、時計本体２により覆われているので、ワイヤ１０，１１の端部が腕時計１からはみ出した状態になることを防止でき、見栄えのよいデザインとすることができる。
【００５３】
加えて、時計本体２は、時刻を指示または表示する時計部を備えているので、時刻を指示または表示させて時計機能を利用できる。
【００５４】
＜バンドの断面構造の変形例＞
図１３を参照して、バンド３，４のバンド本体３ａ，４ａの断面構造の変形例について説明する。ここで、上記の第１の実施の形態例と同様の構成要素については、同一の符号を付し、その説明を省略する。
先ず、芯材４１の幅方向の両側には、芯材４１の表裏面に亘って合皮４５，４５が設けられ、この合皮４５，４５により包み込まれるようにして、ワイヤ１０，１１が合皮４５，４５と芯材４１との間隔に設けられている。さらに、合皮４５，４５の表面にはメタリック調の薄い合皮４６，４６が貼設されている。また、一方の合皮４６の表側の面から他方の合皮４６の表側の面に亘って、合皮４２が設けられている。同様に、一方の合皮４６の裏側の面から他方の合皮４６の裏側の面に亘って、合皮４２が設けられている。
従って、この変形例によれば、バンド本体３ａ，４ａの幅方向の両側がメタリック調のバンド本体３ａ，４ａとすることができる。
このような、バンド３，４の断面構造の変形例によれば、上記の第１の実施の形態例とは異なる部分をメタリック調にすることができる。
なお、図１３はバンド本体３ａ，４ａの断面構造の変形例を模式的に示したものであり、寸法などは実際と異なることは図６と同様である。
【００５５】
＜バンドの取付構造の変形例１＞
上記の第１の実施の形態例では、被覆部材１３，１３，１３，１３を棒部材１５，１５の先端部に被せた状態で、該被覆部材１３，１３，１３，１３を棒部材１５，１５に対し固定することにより、ワイヤ１０，１１の突出部１０ａ，１０ａ，１１ａ，１１ａを時計本体２に対し取付ける構成としたが、ここでは、このようなバンドの取付構造の変形例１について説明する。
先ず、図１４に示すように、ワイヤ１０，１１の突出部１０ａ，１０ａ，１１ａ，１１ａには、鋼線の撚りを戻すことにより、割れ目１０ｂ，１０ｂ，１１ｂ，１１ｂが形成されている。
他方、棒部材１５，１５の両端部１５ｃ，１５ｃ，１５ｃ，１５ｃの各端面には、図示しない雌ねじが形成されている。
そして、割れ目１０ｂ，１０ｂ，１１ｂ，１１ｂを介して、図示しないネジを、両端部１５ｃ，１５ｃ，１５ｃ，１５ｃの各端面に形成された雌ねじに対し螺入することにより突出部１０ａ，１０ａ，１１ａ，１１ａが棒部材１５，１５の両端部１５ｃ，１５ｃ，１５ｃ，１５ｃに対して固定されている。
【００５６】
このようなバンドの取付構造の変形例１によれば、被覆部材１３，１３，１３，１３、ストッパ部材１４，１４，１４，１４を用いる必要がないので、低コストにすることができる。
【００５７】
＜バンドの取付構造の変形例２＞
次ぎに、バンドの取付構造の変形例２について説明する。
先ず、図１５に示すように、ワイヤ１０，１１の突出部１０ａ，１０ａ，１１ａ，１１ａには、該突出部１０ａ，１０ａ，１１ａ，１１ａを棒部材１５，１５に対して取付けるための取付部材６０，６０，６０，６０が設けられている。この取付部材６０，６０，６０，６０は、金属板を変形させて形成された、Ｕ字形状のものである。また、Ｕ字形状の開口部側には、取付部材６０，６０，６０，６０を棒部材１５，１５に対して取付けるため図示しないネジを挿通するための挿通孔６０ａ，６０ａ，６０ａ，６０ａが形成されている。
この取付部材６０，６０，６０，６０は、そのＵ字形状の曲面部側をワイヤ１０，１１に沿わせた状態で、Ｕ字形状の開口部側が互いに接するように、即ち、鍵穴状に変形させることにより、ワイヤ１０，１１に対して圧着されている。
そして、挿通孔６０ａ，６０ａ，６０ａ，６０ａを介して、図示しないネジを、両端部１５ｃ，１５ｃ，１５ｃ，１５ｃの各端面に形成された雌ねじに対し螺入することにより突出部１０ａ，１０ａ，１１ａ，１１ａが棒部材１５，１５の両端部１５ｃ，１５ｃ，１５ｃ，１５ｃに対して固定されている。
【００５８】
このようなバンドの取付構造の変形例２によれば、被覆部材１３，１３，１３，１３、ストッパ部材１４，１４，１４，１４を用いる必要がないので、低コストにすることができる。また、取付部材６０は、ワイヤ１０，１１に対して圧着することにより容易に取付けることができる。
【００５９】
＜バンドの取付構造の変形例３＞
次ぎに、バンドの取付構造の変形例３について説明する。
この変形例においては、突出部１０ａ，１０ａ，１１ａ，１１ａの装置本体２に対する取付けの都合上、バンド３が、１つずつの突出部１０ａ，１０ａを有する別体のワイヤ１０，１０を有し、同様に、バンド４が、１つずつの突出部１１ａ，１１ａを有する別体のワイヤ１１，１１を有していることとする。
先ず、図１６に示すように、ワイヤ１０，１０，１１，１１の突出部１０ａ，１０ａ，１１ａ，１１ａの先端部には、該突出部１０ａ，１０ａ，１１ａ，１１ａを装置本体２のベゼル３２に対して取付けるための雄ねじ部６１，６１，６１，６１が設けられている。
他方、この変形例においては、ベゼル３２の突出部２１，２１，２１，２１の挿入孔２１ａ，２１ａ，２１ａ，２１ａは、それぞれ雄ねじ部６１，６１，６１，６１が螺入される雌ねじとなっていることとする。
また、雄ねじ部６１，６１，６１，６１の基端部には、該雄ねじ部６１，６１，６１，６１をベゼル３２の挿入孔２１ａ，２１ａ，２１ａ，２１ａに対し螺入する際に、力点となるナット部６２，６２，６２，６２が設けられている。
【００６０】
この変形例におけるバンド３，４の取付方は、以下のようである。
先ず、バンド３，４の取付前の状態では、バンド本体３ａ、４ａが作成されておらず、ワイヤ１０，１０，１１，１１のみをベゼル３２に対して取付ける。即ち、雄ねじ部６１，６１，６１，６１をそれぞれベゼル３２の挿入孔２１ａ，２１ａ，２１ａ，２１ａに対し螺入することにより、ワイヤ１０，１０，１１，１１をそれぞれベゼル３２に対し固定する。
しかるのちに、バンド本体３ａを、ワイヤ１０，１０を内部に埋設した状態で縫製するとともに、同様に、バンド本体４ａを、ワイヤ１１，１１を内部に埋設した状態で縫製する。これにより、時計本体２に対してバンド３，４が取付けられた状態になる。
【００６１】
このようなバンドの取付構造の変形例３によれば、被覆部材１３，１３，１３，１３、ストッパ部材１４，１４，１４，１４を用いる必要がないので、低コストにすることができる。
【００６２】
＜バンドの取付構造の変形例４＞
次ぎに、バンドの取付構造の変形例４について説明する。
先ず、図１７に示すように、ワイヤ１０，１１の突出部１０ａ，１０ａ，１１ａ，１１ａには、球体６３，６３，６３，６３がそれぞれ外挿固定されている。また、ここでは、棒部材１５，１５の両端部１５ｃ，１５ｃ，１５ｃ，１５ｃには、球体６３，６３，６３，６３を収容する球体収容部１５ｄ，１５ｄ，１５ｄ，１５ｄが形成されている。
さらに、ここでは、この球体収容部１５ｄ，１５ｄ，１５ｄ，１５ｄにそれぞれ球体６３，６３，６３，６３を収容した状態で、棒部材１５，１５の両端部１５ｃ，１５ｃ，１５ｃ，１５ｃに被せられることで、球体６３，６３，６３，６３を両端部１５ｃ，１５ｃ，１５ｃ，１５ｃに固定状態とするためのキャップ部材６９，６９，６９，６９を用いる。このキャップ部材６９，６９，６９，６９には、棒部材１５，１５の両端部１５ｃ，１５ｃ，１５ｃ，１５ｃに形成された被係止部１５ｅ，１５ｅ，１５ｅ，１５ｅに係止される係止爪６９ａ，６９ａ，６９ａ，６９ａが形成されている。
そして、棒部材１５，１５の球体収容部１５ｄ，１５ｄ，１５ｄ，１５ｄにそれぞれ球体６３，６３，６３，６３に配置した状態で、棒部材１５，１５の両端部１５ｃ，１５ｃ，１５ｃ，１５ｃにキャップ部材６９，６９，６９，６９を被せるとともに、被係止部１５ｅ，１５ｅ，１５ｅ，１５ｅに対し係止爪６９ａ，６９ａ，６９ａ，６９ａを係止することで、キャップ部材６９，６９，６９，６９が棒部材１５，１５の両端部１５ｃ，１５ｃ，１５ｃ，１５ｃに対し固定状態となり、これにより、ワイヤ１０，１１の突出部１０ａ，１０ａ，１１ａ，１１ａが棒部材１５，１５の両端部１５ｃ，１５ｃ，１５ｃ，１５ｃに取付けられた状態となる。
【００６３】
このようなバンドの取付構造の変形例４によれば、棒部材１５，１５の球体収容部１５ｄ，１５ｄ，１５ｄ，１５ｄにそれぞれ球体６３，６３，６３，６３に配置した状態で、棒部材１５，１５の両端部１５ｃ，１５ｃ，１５ｃ，１５ｃにキャップ部材６９，６９，６９，６９を被せて固定するだけで、ワイヤ１０，１１の突出部１０ａ，１０ａ，１１ａ，１１ａが棒部材１５，１５の両端部１５ｃ，１５ｃ，１５ｃ，１５ｃに取付けることができ、取付作業が容易になる。
【００６４】
＜バンドの変形例１＞
次ぎに、バンドの変形例１について説明する。このバンドの変形例１は、ワイヤ１１によって尾錠８および突く棒７がバンド４のバンド本体４ａに対し固定されていることを主な特徴としている。
即ち、図１８に示すように、例えば、尾錠８には、ワイヤ１１が挿通される挿通部８ａが形成されており、また、突く棒７にも、同様にワイヤ１１が挿通される図示しない挿通部が形成されている。そして、これら挿通部８ａおよび図示しない挿通部にワイヤ１１を挿通した状態とすることにより、ワイヤ１１によって尾錠８および突く棒７がバンド４のバンド本体４ａに対し取付けられている。
このようなバンドの変形例１によれば、ワイヤ１１によって尾錠８および突く棒７がバンド４に対し取付られているので、ワイヤ１１に、バンド４を補強する機能と、尾錠８および突く棒７をバンド本体４ａに取付ける機能とを持たせることができる。
【００６５】
＜バンドの変形例２＞
次ぎに、バンドの変形例２について説明する。このバンドの変形例２は、ワイヤ１１にの一部が尾錠を構成していることを主な特徴としている。
即ち、図１９に示すように、ワイヤ１１の一部は、バンド４のバンド本体４ａの一端から露出する露出部１１ｃとなっており、この露出部１１ｃにより尾錠が構成されている。
このようなバンドの変形例２によれば、ワイヤ１１の一部は、バンド本体４ａから露出する露出部１１ｃとなっており、この露出部１１ｃにより尾錠が構成されているので、ワイヤ１１に、バンド本体４ａを補強する機能と、尾錠としての機能とを持たせることができる。
【００６６】
＜第２の実施の形態例＞
この第２の実施の形態例において、上記の第１の実施の形態例と同様の構成要素には、同一の符号を付し、その説明を省略する。
この第２の実施の形態例では、ワイヤ１０が、バンド３，４と時計本体２とに亘って埋設されていることを主な特徴としている。
即ち、図２０に示すように、この第２の実施の形態例においては、装置本体２は、ワイヤ１０が挿通されるワイヤ挿通部２ａが形成されており、ワイヤ１０は、このワイヤ挿通部２ａを貫通している。
この第２の実施の形態例においては、例えば、図２１に示すように、２本のワイヤ１０，１０を用いることとして、例えば、バンド３，４の各々のワイヤ位置決め部７０，７０（例えば、バンド３，４の各々の先端部等）において、ワイヤ１０，１０を位置決めすることとしても良いし、あるいは、図２２に示すように、１本のワイヤ１０を用いることとして、バンド３，４のうちのいずれかのワイヤ位置決め部７０においてワイヤ１０を位置決めすることとしても良い。
また、装置本体２の内部においても、ワイヤ１０を装置本体２に対し位置決めしておくことが望ましい。
【００６７】
以上のような構成の第２の実施の形態例によれば、ワイヤ１０が、バンド３，４と時計本体２とに亘って埋設されているので、バンド３，４と時計本体２との良好な一体性が得られる。
【００６８】
＜第３の実施の形態例＞
この第３の実施の形態例において、上記の各実施の形態例と同様の構成要素には、同一の符号を付し、その説明を省略する。
この第３の実施の形態例は、第２の実施の形態例と同様に、ワイヤ１０が、バンド３，４と時計本体２とに亘って埋設されているものであり、特に、ワイヤ１０が時計本体２の本体ケース３１と、裏蓋３４との間に介装されていることを主な特徴としている。
【００６９】
即ち、図２３および図２４に示すように、本体ケース３１の裏側には、ワイヤ１０が配設されるワイヤ溝３１ａが形成されている。
また、ワイヤ１０には、ワイヤ１０より大径のストッパ部材３７が固定されている一方で、ワイヤ溝３１ａの一部は、このストッパ部材３７が配設される大径部３８がとなっている。
そして、ワイヤ１０をワイヤ溝３１ａに配設するとともに、ストッパ部材３７を大径部３８に配設した状態で、裏蓋３４を本体ケース３１に対し取付けることにより、容易に、ワイヤ１０を時計本体２に埋設した状態にできる。
さらに、ストッパ部材３７が大径部３８から移動できないため、ワイヤ１０が時計本体２から抜け防止された状態にできる。
また、図２５に模式的に示すように、内部機器類１００は、本体ケース３１の内部機器類収容部３１ｂの内部に一括して配置するだけでよい。
【００７０】
以上のような構成の第３の実施の形態例によれば、ワイヤ１０が、本体ケース３１と裏蓋３４との間に介装されているので、裏蓋３４を本体ケース３１に対し取付けるだけで、容易にバンド３，４を時計本体２に対し取付けることができる。
【００７１】
＜第４の実施の形態例＞
この第４の実施の形態例において、上記の各実施の形態例と同様の構成要素には、同一の符号を付し、その説明を省略する。
この第４の実施の形態例は、装置本体２の背面部３４０（通常は裏蓋３４である部分）と、バンド３００，４００とが、ワイヤ１０を埋設した状態で一体成形されていることを主な特徴としている。
【００７２】
即ち、図２６に模式的に示すように、腕時計１１０の背面部３４０、バンド３００、４００は例えば、ウレタン樹脂などの同一の素材からなり、ワイヤ１０を埋設した状態で、一体形成されている（いわゆる、インサート成形を行っている）。
【００７３】
以上のような構成の第４の実施の形態例によれば、背面部３４０と、バンド３００，４００とが、ワイヤ１０を埋設した状態で一体成形されているので、背面部３４０（ならびに時計本体２）と、バンド３００，４００との一体性を向上できるとともに、これらバンド３００，４００及び裏蓋３４０（ならびに時計本体２）を連続的にワイヤ１０により補強できる。
【００７４】
＜第５の実施の形態例＞
この第５の実施の形態例において、上記の各実施の形態例と同様の構成要素には、同一の符号を付し、その説明を省略する。
この第５の実施の形態例は、本体ケース３１０と、バンド３００，４００とが、ワイヤ１０を埋設した状態で一体成形されていることを主な特徴としている。
【００７５】
即ち、図２７に模式的に示すように、腕時計１２０の本体ケース３１０、バンド３００、４００は例えば、ウレタン樹脂などの同一の素材からなり、ワイヤ１０を埋設した状態で、一体形成されている（いわゆる、インサート成形を行っている）。
【００７６】
以上のような構成の第５の実施の形態例によれば、本体ケース３１０と、バンド３００，４００とが、ワイヤ１０を埋設した状態で一体成形されているので、本体ケース３１０（ならびに時計本体２）と、バンド３００，４００との一体性を向上できるとともに、これらバンド３００，４００及び本体ケース３１０（ならびに時計本体２）を連続的にワイヤ１０により補強できる。
【００７７】
＜第６の実施の形態例＞
この第６の実施の形態例において、上記の各実施の形態例と同様の構成要素には、同一の符号を付し、その説明を省略する。
図２８及び図２９に示すように、この第６の実施の形態例の腕時計６００の時計本体６０２と、バンド６０３、６４には、ワイヤ１０が埋設されている。そして、時計本体６０２には、例えば、長方形状の開口部６０２ａ，…が、バンド６０３，６０４には、例えば、半月状の切り欠き部６０３ａ，…、６０４ａ，…が、それぞれ形成されており、これら開口部６０２ａ，…、切り欠き部６０３ａ，…、６０４ａ，…においては、ワイヤ１０が露出し、該ワイヤ１０の一部が視認可能なデザインとなっている。
なお、時計本体６０２とバンド６０３との連結部は、例えば、図３０に示すように、時計本体６０２に形成された凹部に対し、バンド６０３に形成された凸部を、時計本体６０２の側方から嵌入した構造となっている。
【００７８】
以上のような構成の第６の実施の形態例によれば、開口部６０２ａ，…、切り欠き部６０３ａ，…、６０４ａ，…においては、ワイヤ１０が露出し、ワイヤ１０が視認可能であるといった、美観に優れたデザインとすることができる。
【００７９】
この第６の実施の形態例においては、例えば、図３１に示すように、台形状の切り欠き部７００ａ，…を有し、この切り欠き部７００ａからワイヤ１０が視認可能なデザインとしても良い。また、その他、例えば、三角形状の切り欠き部にするなど、バンドの切り欠き部の形状や、あるいは、時計本体の開口部の形状は、適宜変更可能である。
【００８０】
なお、上記の各実施の形態例においては、リスト装置として腕時計を例示したが、リスト装置はこれに限らず、コンパス、水深計などの、手首に装着して用いられる装置であればよい。
また、バンドや時計本体を透明にすることにより、バンドや時計本体の内部のワイヤを視認可能なデザインとしても良い。
さらに、各実施の態様では、鋼線を寄り合わせたワイヤを線状部材として使用したが、この替わりに針金やナイロンチューブ等を線状部材として使用しても良い。
加えて、ワイヤにアンテナとしての機能を持たせることとしても良い。
また、ワイヤに金メッキを施すなどして、装飾性を持たせても良い。
【００８１】
【発明の効果】
請求項１記載の発明に係るバンドによれば、バンド本体内に線状部材を配設した構成としているので、線状部材によりバンド本体を充分に補強することができる。よって、バンド本体全体の高い強度が得られる。しかも、柔軟性のある線状部材の特性により、バンド本体の柔軟性が確保できる。
【００８２】
請求項２記載の発明に係るバンドによれば、線状部材が、バンド本体の周縁部に沿うようにして配設されているので、特にバンド本体の周縁部を線状部材により補強できる。
【００８３】
請求項３記載の発明に係るバンドによれば、線状部材の端部は、バンド本体の一端から突出した一対の突出部となっており、この突出部を介して、バンド本体が、リスト装置の装置本体に対し取付けられるようになっているので、バンド本体と、装置本体とが重なり合う部分のないデザインを実現できる。
【００８４】
請求項４記載の発明に係るバンドの取付構造によれば、装置本体は、一対の突出部が取付けられる一対の取付部を有し、この一対の取付部に対し、一対の突出部が取付けられるようにしたので、バンド本体と、装置本体とが重なり合う部分のないデザインを実現できる。
【００８５】
請求項５記載の発明に係るバンドの取付構造によれば、一対の取付部は、装置本体から両端部が突出するようにして該装置本体に挿通された、棒部材の両端部であるので、棒部材を、該棒部材の両端部がそれぞれ装置本体から突出するようにして該装置本体に挿通することにより、容易に一対の取付部を設けることができる。
【００８６】
請求項６記載の発明に係るバンドの取付構造によれば、一対の突出部には、棒部材の端部に被せられる被覆部材がそれぞれ設けられており、この被覆部材を、それぞれ棒部材の端部に被せた状態で、該被覆部材が棒部材に対し固定されることにより、装置本体に対してバンド本体の取付けがなされるようにしているので、容易に、バンド本体を装置本体の取付部に取り付けた構造とすることができるとともに、被覆部材により棒部材を被覆したデザインとすることができる。
【００８７】
請求項７記載の発明に係るバンドの取付構造によれば、装置本体の内部には、緩衝体が設けられ、この緩衝体により、棒部材から装置本体の内部のうち、該緩衝体以外の部分へと衝撃が伝達することが防止されているので、この緩衝体により、棒部材から装置本体の内部のうち、緩衝体以外の部分へと衝撃が伝達することを防止でき、装置本体の耐衝撃性が得られる。
【００８８】
請求項８記載の発明に係るバンドの取付構造によれば、一対の突出部の先端部は、装置本体により覆われているので、線状部材の端部がリスト装置からはみ出した状態になることを防止でき、見栄えがよい。
【００８９】
請求項９記載の発明に係るリスト装置によれば、バンドは、帯状のバンド本体内に線状部材を配設して構成されているので、線状部材によりバンド本体を補強できる。よって、バンド本体の高い強度が得られる。しかも、柔軟性のある線状部材の特性により、バンド本体の柔軟性が確保できる。
【００９０】
請求項１０記載の発明に係るリスト装置によれば、バンドと装置本体とに亘って線状部材が配設されているので、バンドと装置本体との良好な一体性が得られる。
【００９１】
請求項１１記載の発明に係るリスト装置によれば、装置本体は、本体ケースと、この本体ケースの裏側に取付けられた裏蓋とを有しており、線状部材が、これら本体ケースと裏蓋との間に介装されているので、本体ケースに裏蓋を取付けるだけで、バンドを装置本体に対して容易に取付けることができる。
【００９２】
請求項１２記載の発明に係るリスト装置によれば、装置本体の少なくとも一部と、バンドとは、これらを連結するための線状部材を埋設した状態で一体成形されているので、バンドと装置本体との一体性を向上できるとともに、これらバンド及び装置本体を連続的に線状部材により補強できる。
【００９３】
請求項１３記載の発明に係るリスト装置によれば、装置本体は、時刻を指示または表示する時計部を備えているので、時刻を指示または表示させて時計機能を利用できる。
【図面の簡単な説明】
【図１】本発明に係るリスト装置の一例としての腕時計を示す全体斜視図である。
【図２】本発明に係るリスト装置の装置本体の一例としての腕時計の時計本体を示す平面図である。
【図３】図２の矢印Ａ方向から見た側面図である。
【図４】本発明に係るバンドを示すものであり、このうち（ａ）は平面図、（ｂ）は（ａ）のＢ−Ｂ矢視図、（ｃ）は（ａ）のＣ−Ｃ矢視図である。
【図５】本発明に係るバンドを示す斜視図である。
【図６】本発明に係るバンドの断面構造を示す模式図である。
【図７】本発明に係るバンドがリスト装置の装置本体に取付けられる前の状態を示す平面図である。
【図８】本発明に係るバンドをリスト装置の装置本体に取付けている状態を示す平面図である。
【図９】本発明に係るバンドがリスト装置の装置本体に取付けられた状態を示す平面図である。
【図１０】本発明に係るバンドの取付構造を説明するための、主要な構成要素のみを示す平断面図である。
【図１１】本発明に係るバンドの取付構造を説明するための、装置本体を示す一部破断の側面図である。
【図１２】本発明に係るバンドの取付構造を説明するための、装置本体を示す側断面図である。
【図１３】バンドの断面構造の変形例を示す模式図である。
【図１４】バンドの取付構造の変形例１を説明するためのものであり、このうち（ａ）はワイヤの側面図、（ｂ）は（ａ）のＤ−Ｄ矢視断面図である。
【図１５】バンドの取付構造の変形例２を説明するためのものであり、このうち（ａ）はワイヤの側面図、（ｂ）は（ａ）のＥ−Ｅ矢視断面図である。
【図１６】バンドの取付構造の変形例３を説明するためのものであり、このうち（ａ）はワイヤの側面図、（ｂ）は（ａ）のＦ−Ｆ矢視断面図である。
【図１７】バンドの取付構造の変形例４を説明するためのものであり、このうち（ａ）はワイヤの側面図、（ｂ）は棒部材を示す一部破断の正面図、（ｃ）は（ｂ）の矢印Ｇ方向から見た側面図、（ｄ）はキャップを示す一部破断の正面図、（ｅ）はキャップによりワイヤを棒部材に対して固定した状態を示す平断面図である。
【図１８】バンドの変形例１を説明するためのものであり、このうち（ａ）は平面図、（ｂ）は（ａ）の矢印Ｈ方向から見た側面図である。
【図１９】バンドの変形例２を説明するためのものバンドの平面図である。
【図２０】本発明に係る第２の実施の形態例を説明するための、リスト装置を示す概略側面図である。
【図２１】本発明に係る第２の実施の形態例のリスト装置に適用されるバンドを示す平面図である。
【図２２】第２の実施の形態例のリスト装置に適用されるバンドの変形例を示す平面図である。
【図２３】本発明に係る第３の実施の形態例のリスト装置を示す正断面図である。
【図２４】第３の実施の形態例のリスト装置を示す平断面図である。
【図２５】第３の実施の形態例における内部機器類の取付けを説明するための模式的な平面図である。
【図２６】本発明に係る第４の実施の形態例のリスト装置を説明するためのものであり、このうち（ａ）は模式的な平面図、（ｂ）は模式的な側断面図である。
【図２７】本発明に係る第５の実施の形態例のリスト装置を説明するためのものであり、このうち（ａ）は模式的な平面図、（ｂ）は模式的な側断面図である。
【図２８】本発明に係る第６の実施の形態例のリスト装置を示す平面図である。
【図２９】第６の実施の形態例のリスト装置を示す概略側面図である。
【図３０】図２９のＩ部を示す拡大側断面図である。
【図３１】バンドの変形例３を説明するための、バンドの一部を示す平面図である。
【符号の説明】
１    腕時計（リスト装置）
２    時計本体（装置本体）
３    第１のバンド（バンド４０を構成する）
３ａ  第１のバンド本体
４    第２のバンド（バンド４０を構成する）
４ａ  第２のバンド本体
１０  ワイヤ
１１  ワイヤ
１０ａ，１１ａ  突出部
１３  被覆部材
１５  棒部材
１５ｃ  棒部材の端部（取付部）
３１  本体ケース
３４  裏蓋
４０  バンド
５０  緩衝体
３００，４００  バンド
６０２  装置本体
６０３，６０４  バンド
７００  バンド
【図１】
0004415170.tif 000002
【図２】
0004415170.tif 000003
【図３】
0004415170.tif 000004
【図４】
0004415170.tif 000005
【図５】
0004415170.tif 000006
【図６】
0004415170.tif 000007
【図７】
0004415170.tif 000008
【図８】
0004415170.tif 000009
【図９】
0004415170.tif 000010
【図１０】
0004415170.tif 000011
【図１１】
0004415170.tif 000012
【図１２】
0004415170.tif 000013
【図１３】
0004415170.tif 000014
【図１４】
0004415170.tif 000015
【図１５】
0004415170.tif 000016
【図１６】
0004415170.tif 000017
【図１７】
0004415170.tif 000018
【図１８】
0004415170.tif 000019
【図１９】
0004415170.tif 000020
【図２０】
0004415170.tif 000021
【図２１】
0004415170.tif 000022
【図２２】
0004415170.tif 000023
【図２３】
0004415170.tif 000024
【図２４】
0004415170.tif 000025
【図２５】
0004415170.tif 000026
【図２６】
0004415170.tif 000027
【図２７】
0004415170.tif 000028
【図２８】
0004415170.tif 000029
【図２９】
0004415170.tif 000030
【図３０】
0004415170.tif 000031
【図３１】
0004415170.tif 000032